(57)【要約】【課題】この発明は、ＤＶＤ−ＶＲ規格の情報をＤＶＤ−Ｖ規格に変換し、その情報を再度ＤＶＤ−ＶＲ規格の情報に変換した場合に、元のＤＶＤ−ＶＲ規格の情報と同じ情報を復元して記録することを可能とする映像記録装置及び映像記録方法を提供することを目的としている。【解決手段】ＤＶＤ−ＶＲ規格の映像信号をＤＶＤ−Ｖ規格に変換する際、変換されたＤＶＤ−Ｖ規格の映像信号について、そのタイトルの再生開始、終了位置及びチャプタ分割位置の移動量情報（ｄ１〜ｄ３）を取得し、変換されたＤＶＤ−Ｖ規格の映像信号とともに記録媒体（１８，１９ａ）に記録する。記録媒体（１８，１９ａ）を再生してＤＶＤ−Ｖ規格の映像信号をＤＶＤ−ＶＲ規格に変換する際、変換されたＤＶＤ−ＶＲ規格の映像信号について、そのタイトルの再生開始、終了位置及びチャプタ分割位置を、移動量情報（ｄ１〜ｄ３）に基づいて修正する。【選択図】    図３
2005303620.tif 000002
【特許請求の範囲】
【請求項１】
ＤＶＤ−ＶＲ規格による映像信号を入力する入力手段と、
前記入力手段により入力されたＤＶＤ−ＶＲ規格による映像信号をＤＶＤ−Ｖ規格による映像信号に変換する変換手段と、
前記変換手段により変換されたＤＶＤ−Ｖ規格による映像信号について、そのタイトルの再生開始位置、再生終了位置及びチャプタ分割位置に対する移動量情報を取得する取得手段と、
前記変換手段により変換されたＤＶＤ−Ｖ規格による映像信号と、前記取得手段により取得された移動量情報とを記録媒体に記録する記録手段とを具備したことを特徴とする映像記録装置。
【請求項２】
前記取得手段は、前記入力手段により入力されたＤＶＤ−ＶＲ規格による映像信号のタイトルの再生開始位置、再生終了位置及びチャプタ分割位置に対する、ＤＶＤ−Ｖ規格に変換された映像信号のタイトルの再生開始位置、再生終了位置及びチャプタ分割位置の移動量と移動方向とを示す移動量情報を取得することを特徴とする請求項１記載の映像記録装置。
【請求項３】
前記移動量はフレーム数で示され、前記移動方向は正負の符号で示されることを特徴とする請求項２記載の映像記録装置。
【請求項４】
前記入力手段は、第１の記録媒体を再生することによりＤＶＤ−ＶＲ規格による映像信号を入力し、
前記記録手段は、前記変換手段により変換されたＤＶＤ−Ｖ規格による映像信号とそのタイトルの移動量情報とを、前記第１の記録媒体とは異なる第２の記録媒体に記録することを特徴とする請求項１記載の映像記録装置。
【請求項５】
ＤＶＤ−ＶＲ規格による映像信号をＤＶＤ−Ｖ規格に変換した映像信号と、ＤＶＤ−Ｖ規格に変換された映像信号について、そのタイトルの再生開始位置、再生終了位置及びチャプタ分割位置に対する移動量情報とを入力する入力手段と、
前記入力手段により入力された移動量情報を取得する取得手段と、
前記入力手段により入力されたＤＶＤ−Ｖ規格の映像信号をＤＶＤ−ＶＲ規格による映像信号に変換する変換手段と、
前記変換手段により変換されたＤＶＤ−ＶＲ規格による映像信号について、そのタイトルの再生開始位置、再生終了位置及びチャプタ分割位置を、前記取得手段により取得された前記移動量情報に基づいて修正する修正手段と、
前記修正手段により修正されたＤＶＤ−ＶＲ規格による映像信号を記録媒体に記録する記録手段とを具備したことを特徴とする映像記録装置。
【請求項６】
前記移動量情報は、ＤＶＤ−ＶＲ規格による映像信号のタイトルの再生開始位置、再生終了位置及びチャプタ分割位置に対する、ＤＶＤ−Ｖ規格に変換された映像信号のタイトルの再生開始位置、再生終了位置及びチャプタ分割位置の移動量と移動方向とを示す情報を含み、
前記修正手段は、前記変換手段により変換されたＤＶＤ−ＶＲ規格による映像信号について、そのタイトルの再生開始位置、再生終了位置及びチャプタ分割位置を、前記移動量と移動方向とに基づいて修正することを特徴とする請求項５記載の映像記録装置。
【請求項７】
前記移動量はフレーム数で示され、前記移動方向は正負の符号で示されることを特徴とする請求項６記載の映像記録装置。
【請求項８】
前記入力手段は、第１の記録媒体を再生することにより、ＤＶＤ−ＶＲ規格による映像信号をＤＶＤ−Ｖ規格に変換した映像信号と、ＤＶＤ−Ｖ規格に変換された映像信号について、そのタイトルの再生開始位置、再生終了位置及びチャプタ分割位置に対する移動量情報とを入力し、
前記記録手段は、前記修正手段により修正されたＤＶＤ−ＶＲ規格による映像信号を、前記第１の記録媒体とは異なる第２の記録媒体に記録することを特徴とする請求項５記載の映像記録装置。
【請求項９】
第１の記録媒体を再生することにより、ＤＶＤ−ＶＲ規格による映像信号を入力する第１の入力手段と、
前記第１の入力手段により入力されたＤＶＤ−ＶＲ規格による映像信号をＤＶＤ−Ｖ規格による映像信号に変換する第１の変換手段と、
前記第１の変換手段により変換されたＤＶＤ−Ｖ規格による映像信号について、そのタイトルの再生開始位置、再生終了位置及びチャプタ分割位置に対する移動量情報を取得する第１の取得手段と、
前記第１の変換手段により変換されたＤＶＤ−Ｖ規格による映像信号と、前記第１の取得手段により取得された移動量情報とを第２の記録媒体に記録する第２の記録手段と、
前記第２の記録媒体を再生することにより、ＤＶＤ−ＶＲ規格による映像信号をＤＶＤ−Ｖ規格に変換した映像信号と、ＤＶＤ−Ｖ規格に変換された映像信号について、そのタイトルの再生開始位置、再生終了位置及びチャプタ分割位置に対する移動量情報とを入力する第２の入力手段と、
前記第２の入力手段により入力された移動量情報を取得する第２の取得手段と、
前記第２の入力手段により入力されたＤＶＤ−Ｖ規格の映像信号をＤＶＤ−ＶＲ規格による映像信号に変換する第２の変換手段と、
前記第２の変換手段により変換されたＤＶＤ−ＶＲ規格による映像信号について、そのタイトルの再生開始位置、再生終了位置及びチャプタ分割位置を、前記第２の取得手段により取得された前記移動量情報に基づいて修正する修正手段と、
前記修正手段により修正されたＤＶＤ−ＶＲ規格による映像信号を第３の記録媒体に記録する第３の記録手段とを具備したことを特徴とする映像記録装置。
【請求項１０】
前記移動量情報は、ＤＶＤ−ＶＲ規格による映像信号のタイトルの再生開始位置、再生終了位置及びチャプタ分割位置に対する、ＤＶＤ−Ｖ規格に変換された映像信号のタイトルの再生開始位置、再生終了位置及びチャプタ分割位置の移動量と移動方向とを示す情報を含み、
前記修正手段は、前記第２の変換手段により変換されたＤＶＤ−ＶＲ規格による映像信号について、そのタイトルの再生開始位置、再生終了位置及びチャプタ分割位置を、前記移動量と移動方向とに基づいて修正することを特徴とする請求項９記載の映像記録装置。
【請求項１１】
前記移動量はフレーム数で示され、前記移動方向は正負の符号で示されることを特徴とする請求項１０記載の映像記録装置。
【請求項１２】
ＤＶＤ−ＶＲ規格による映像信号を入力する第１の工程と、
前記第１の工程により入力されたＤＶＤ−ＶＲ規格による映像信号をＤＶＤ−Ｖ規格による映像信号に変換する第２の工程と、
前記第２の工程により変換されたＤＶＤ−Ｖ規格による映像信号について、そのタイトルの再生開始位置、再生終了位置及びチャプタ分割位置に対する移動量情報を取得する第３の工程と、
前記第２の工程により変換されたＤＶＤ−Ｖ規格による映像信号と、前記第３の工程により取得された移動量情報とを記録媒体に記録する第４の工程とを具備したことを特徴とする映像記録方法。
【請求項１３】
ＤＶＤ−ＶＲ規格による映像信号をＤＶＤ−Ｖ規格に変換した映像信号と、ＤＶＤ−Ｖ規格に変換された映像信号について、そのタイトルの再生開始位置、再生終了位置及びチャプタ分割位置に対する移動量情報とを入力する第１の工程と、
前記第１の工程により入力された移動量情報を取得する第２の工程と、
前記第１の工程により入力されたＤＶＤ−Ｖ規格の映像信号をＤＶＤ−ＶＲ規格による映像信号に変換する第３の工程と、
前記第３の工程により変換されたＤＶＤ−ＶＲ規格による映像信号について、そのタイトルの再生開始位置、再生終了位置及びチャプタ分割位置を、前記第２の工程により取得された前記移動量情報に基づいて修正する第４の工程と、
前記第４の工程により修正されたＤＶＤ−ＶＲ規格による映像信号を記録媒体に記録する第５の工程とを具備したことを特徴とする映像記録方法。
【請求項１４】
第１の記録媒体を再生することにより、ＤＶＤ−ＶＲ規格による映像信号を入力する第１の工程と、
前記第１の工程により入力されたＤＶＤ−ＶＲ規格による映像信号をＤＶＤ−Ｖ規格による映像信号に変換する第２の工程と、
前記第２の工程により変換されたＤＶＤ−Ｖ規格による映像信号について、そのタイトルの再生開始位置、再生終了位置及びチャプタ分割位置に対する移動量情報を取得する第３の工程と、
前記第２の工程により変換されたＤＶＤ−Ｖ規格による映像信号と、前記第３の工程により取得された移動量情報とを第２の記録媒体に記録する第４の工程と、
前記第２の記録媒体を再生することにより、ＤＶＤ−ＶＲ規格による映像信号をＤＶＤ−Ｖ規格に変換した映像信号と、ＤＶＤ−Ｖ規格に変換された映像信号について、そのタイトルの再生開始位置、再生終了位置及びチャプタ分割位置に対する移動量情報とを入力する第５の工程と、
前記第５の工程により入力された移動量情報を取得する第６の工程と、
前記第５の工程により入力されたＤＶＤ−Ｖ規格の映像信号をＤＶＤ−ＶＲ規格による映像信号に変換する第７の工程と、
前記第７の工程により変換されたＤＶＤ−ＶＲ規格による映像信号について、そのタイトルの再生開始位置、再生終了位置及びチャプタ分割位置を、前記第６の工程により取得された前記移動量情報に基づいて修正する第８の工程と、
前記第８の工程により修正されたＤＶＤ−ＶＲ規格による映像信号を第３の記録媒体に記録する第９の工程とを具備したことを特徴とする映像記録方法。
【発明の詳細な説明】
【技術分野】
【０００１】
この発明は、例えばＤＶＤ（Digital Versatile Disk）−ＶＲ（Video Recording）規格のタイトルをＤＶＤ−Ｖ（Video）規格に変換し、このＤＶＤ−Ｖ規格のタイトルを再度ＤＶＤ−ＶＲ規格に変換して記録する場合に好適する映像記録装置及び映像記録方法に関する。
【背景技術】
【０００２】
周知のように、近年では、情報の高密度記録技術が促進されており、片面１層に４．７ＧＢ（Giga Byte）もの記録容量を有する光ディスクが実用化されている。
【０００３】
この光ディスクとしては、例えば、再生専用のＤＶＤ−ＲＯＭ（Digital Versatile Disk−Read Only Memory）、書き替え可能なＤＶＤ−ＲＡＭ（Random Access Memory）、ＤＶＤ−ＲＷ（Rewritable）、＋ＲＷ、追記可能なＤＶＤ−Ｒ（Recordable）等がある。
【０００４】
そして、光ディスクに対して記録再生を行なうディスクレコーダにあっては、ＨＤＤ（Hard Disk Drive）を内蔵し、外部から入力されたタイトルを光ディスクとハードディスクとに選択的に記録する機能と、光ディスクとハードディスクとの相互間でタイトルを転送する機能とを有するものが普及している。
【０００５】
この種のディスクレコーダにおいては、ＤＶＤ−ＶＲ規格で光ディスクに記録されたタイトルを、ＤＶＤ−Ｖ規格に変換してハードディスクに記録しておき、その後、ハードディスクに記録されたＤＶＤ−Ｖ規格のタイトルを、再びＤＶＤ−ＶＲ規格のタイトルに変換して他の光ディスクに記録するという使用形態が考えられる。
【０００６】
ところで、ＤＶＤ−ＶＲ規格のタイトルをＤＶＤ−Ｖ規格に変換して記録し、その記録されたタイトルを再度ＤＶＤ−ＶＲ規格のタイトルに変換した場合、現状のＤＶＤ−Ｖ規格で記録される管理情報の範囲内では、元のＤＶＤ−ＶＲ規格のタイトルと全く同じタイトルを復元することは不可能となる。
【０００７】
特許文献１には、ＤＶＤ−ＶＲ規格のタイトルをＤＶＤ−Ｖ規格のタイトルに変換する際の、変換処理の自動化を図る技術が記載されているだけで、ＤＶＤ−ＶＲ規格からＤＶＤ−Ｖ規格に変換されたタイトルを、再度ＤＶＤ−ＶＲ規格に変換することについては、何らの記載もなされていないものである。
【特許文献１】特開２００３−１５３１７０号公報
【発明の開示】
【発明が解決しようとする課題】
【０００８】
そこで、この発明は上記事情を考慮してなされたもので、ＤＶＤ−ＶＲ規格の情報をＤＶＤ−Ｖ規格に変換し、その情報を再度ＤＶＤ−ＶＲ規格の情報に変換した場合に、元のＤＶＤ−ＶＲ規格の情報と同じ情報を復元して記録することを可能とする映像記録装置及び映像記録方法を提供することを目的とする。
【課題を解決するための手段】
【０００９】
この発明に係る映像記録装置は、ＤＶＤ−ＶＲ規格による映像信号を入力する入力手段と；入力手段により入力されたＤＶＤ−ＶＲ規格による映像信号をＤＶＤ−Ｖ規格による映像信号に変換する変換手段と；変換手段により変換されたＤＶＤ−Ｖ規格による映像信号について、そのタイトルの再生開始位置、再生終了位置及びチャプタ分割位置に対する移動量情報を取得する取得手段と；変換手段により変換されたＤＶＤ−Ｖ規格による映像信号と取得手段により取得された移動量情報とを記録媒体に記録する記録手段とを備えるようにしたものである。
【００１０】
また、この発明に係る映像記録装置は、ＤＶＤ−ＶＲ規格による映像信号をＤＶＤ−Ｖ規格に変換した映像信号と、ＤＶＤ−Ｖ規格に変換された映像信号について、そのタイトルの再生開始位置、再生終了位置及びチャプタ分割位置に対する移動量情報とを入力する入力手段と；入力手段により入力された移動量情報を取得する取得手段と；入力手段により入力されたＤＶＤ−Ｖ規格の映像信号をＤＶＤ−ＶＲ規格による映像信号に変換する変換手段と；変換手段により変換されたＤＶＤ−ＶＲ規格による映像信号について、そのタイトルの再生開始位置、再生終了位置及びチャプタ分割位置を、取得手段により取得された移動量情報に基づいて修正する修正手段と；修正手段により修正されたＤＶＤ−ＶＲ規格による映像信号を記録媒体に記録する記録手段とを備えるようにしたものである。
【００１１】
一方、この発明に係る映像記録方法は、ＤＶＤ−ＶＲ規格による映像信号を入力する第１の工程と；第１の工程により入力されたＤＶＤ−ＶＲ規格による映像信号をＤＶＤ−Ｖ規格による映像信号に変換する第２の工程と；第２の工程により変換されたＤＶＤ−Ｖ規格による映像信号について、そのタイトルの再生開始位置、再生終了位置及びチャプタ分割位置に対する移動量情報を取得する第３の工程と；第２の工程により変換されたＤＶＤ−Ｖ規格による映像信号と第３の工程により取得された移動量情報とを記録媒体に記録する第４の工程とを備えるようにしたものである。
【００１２】
また、この発明に係る映像記録方法は、ＤＶＤ−ＶＲ規格による映像信号をＤＶＤ−Ｖ規格に変換した映像信号と、ＤＶＤ−Ｖ規格に変換された映像信号について、そのタイトルの再生開始位置、再生終了位置及びチャプタ分割位置に対する移動量情報とを入力する第１の工程と；第１の工程により入力された移動量情報を取得する第２の工程と；第１の工程により入力されたＤＶＤ−Ｖ規格の映像信号をＤＶＤ−ＶＲ規格による映像信号に変換する第３の工程と；第３の工程により変換されたＤＶＤ−ＶＲ規格による映像信号について、そのタイトルの再生開始位置、再生終了位置及びチャプタ分割位置を、第２の工程により取得された移動量情報に基づいて修正する第４の工程と；第４の工程により修正されたＤＶＤ−ＶＲ規格による映像信号を記録媒体に記録する第５の工程とを備えるようにしたものである。
【発明の効果】
【００１３】
上記した発明によれば、ＤＶＤ−ＶＲ規格による映像信号をＤＶＤ−Ｖ規格に変換する際、変換されたＤＶＤ−Ｖ規格による映像信号について、そのタイトルの再生開始位置、再生終了位置及びチャプタ分割位置に対する移動量情報を取得し、変換されたＤＶＤ−Ｖ規格による映像信号と取得された移動量情報とを記録媒体に記録するようにしている。
【００１４】
このため、記録媒体を再生してＤＶＤ−Ｖ規格の映像信号をＤＶＤ−ＶＲ規格に変換する際、変換されたＤＶＤ−ＶＲ規格による映像信号について、そのタイトルの再生開始位置、再生終了位置及びチャプタ分割位置を移動量情報に基づいて修正することができる。これにより、ＤＶＤ−ＶＲ規格の情報をＤＶＤ−Ｖ規格に変換し、その情報を再度ＤＶＤ−ＶＲ規格の情報に変換した場合に、元のＤＶＤ−ＶＲ規格の情報と同じ情報を復元して記録することが可能となる。
【発明を実施するための最良の形態】
【００１５】
以下、この発明の実施の形態について図面を参照して詳細に説明する。図１は、この実施の形態で説明するディスク記録再生装置１１の外観を示している。すなわち、このディスク記録再生装置１１は、略薄型の箱状に形成されたキャビネット１２を有している。
【００１６】
キャビネット１２の前面パネル１３には、その中央部に、ディスクドライブ部１４が設置されている。ディスクドライブ部１４は、後述する光ディスクを着脱可能に構成され、装着された光ディスクに対して情報の記録再生を行なう機能を有している。
【００１７】
また、上記キャビネット１２の前面パネル１３には、その一端部に電源キー１５が設置されている。また、前面パネル１３の他端部には、動作状態及び設定状態等を表示するための表示部１６、ディスク記録再生装置１１を所定の動作状態や停止状態に設定するための操作部１７等が設置されている。
【００１８】
図２は、上記ディスク記録再生装置１１の信号処理系を示している。このディスク記録再生装置１１は、記録媒体としてＤＶＤ−ＲＷを含む光ディスクとハードディスクとの両方を取り扱うことができるものとしているが、記録媒体としては、例えば半導体メモリ等を用いることも可能である。
【００１９】
すなわち、図２に示すディスク記録再生装置１１は、大きく分けると、図中左側に記録側の主なブロックが存在し、図中右側に再生側の主なブロックが存在し、図中下部に制御側の主なブロックが存在している。
【００２０】
そして、このディスク記録再生装置１１は、２種類のディスクドライブ部を有する。まず、ビデオファイルを構築できる情報記録媒体である第１のメディアとしての光ディスク１８を回転駆動し、情報の読み書きを実行する上記ディスクドライブ部１４を有する。また、このディスク記録再生装置１１は、第２のメディアとしてのハードディスク１９ａを駆動するＨＤＤ部１９を有する。
【００２１】
Ｄ−ＰＲＯ（Data−Processor）部２０は、ディスクドライブ部１４及びＨＤＤ部１９に記録データを供給することができ、また、再生された信号を受け取ることができる。ディスクドライブ部１４は、光ディスク１８に対する回転制御系、レーザ駆動系、光学系等を有する。Ｄ−ＰＲＯ部２０は、記録または再生単位のデータを取り扱うもので、バッファ回路、変調・復調回路、エラー訂正部等を含んでいる。
【００２２】
また、このディスク記録再生装置１１は、記録側を構成するエンコーダ部２１と、再生側を構成するデコーダ部２２と、装置本体の動作を制御するマイクロコンピュータブロック２３とを、主たる構成要素としている。
【００２３】
エンコーダ部２１は、入力されたアナログ映像信号及びアナログ音声信号をデジタル化する映像用及び音声用のアナログデジタルコンバータと、映像エンコーダと、音声エンコーダとを有する。さらに、副映像エンコーダも含んでいる。
【００２４】
エンコーダ部２１の出力は、バッファメモリ２４を含むフォーマッタ２５にて、ＤＶＤ−ＶＲ規格及びＤＶＤ−Ｖ規格等に準拠した所定のＤＶＤフォーマットに選択的に変換され、先のＤ−ＰＲＯ部２０に供給される。
【００２５】
エンコーダ部２１には、Ａ／Ｖ（Audio Video）入力部２６から得られる外部アナログ映像信号と外部アナログ音声信号、または、ＴＶ（Television）チューナ部２７から得られるアナログ映像信号とアナログ音声信号が入力される。
【００２６】
なお、エンコーダ部２１は、圧縮されたデジタル映像信号及びデジタル音声信号が直接入力されるときは、この圧縮されたデジタル映像信号及びデジタル音声信号を、直接フォーマッタ２５に供給することも可能である。
【００２７】
また、エンコーダ部２１は、アナログデジタル変換されたデジタル映像信号及び音声信号を、Ｖ（Video）ミクシング部２８及び音声セレクタ２９にそれぞれ直接供給することもできる。
【００２８】
エンコーダ部２１に含まれる映像エンコーダでは、デジタル映像信号が、ＭＰＥＧ（Moving Picture Experts Group）２またはＭＰＥＧ１規格に基づいた可変ビットレートで圧縮されたデジタル映像信号に変換される。デジタル音声信号は、ＭＰＥＧまたはＡＣ（Audio Compression）−３規格に基づいて、固定ビットレートで圧縮されたデジタル音声信号、または、リニアＰＣＭ（Pulse Code Modulation）のデジタル音声信号に変換される。
【００２９】
副映像信号がＡ／Ｖ入力部２６から入力された場合（例えば副映像信号の独立出力端子付ＤＶＤビデオプレーヤからの信号等）、または、このようなデータ構成のＤＶＤ映像信号が放送され、それがＴＶチューナ部２７で受信された場合は、ＤＶＤ映像信号中の副映像信号が副映像エンコーダでエンコード（ランレングス符号化）されて副映像のビットマップとなる。
【００３０】
エンコードされたデジタル映像信号、デジタル音声信号、副映像データは、フォーマッタ２５にてパック化され、映像パック、音声パック、副映像パックとなり、さらに、これらのパックが集合されて、ＤＶＤ−ＶＲ規格及びＤＶＤ−Ｖ規格等に準拠した所定のＤＶＤフォーマットに変換される。
【００３１】
ここで、図２に示したディスク記録再生装置１１は、フォーマッタ２５でフォーマット化された情報（映像、音声、副映像等のパック）及び作成された管理情報を、Ｄ−ＰＲＯ部２０を介してＨＤＤ部１９またはディスクドライブ部１４に供給し、ハードディスク１９ａまたは光ディスク１８に記録することができる。
【００３２】
また、ハードディスク１９ａまたは光ディスク１８に記録された情報を、Ｄ−ＰＲＯ部２０及びディスクドライブ部１４を介して、光ディスク１８またはハードディスク１９ａに記録することもできる。
【００３３】
マイクロコンピュータブロック２３は、ＭＰＵ（Micro Processing Unit）２３ａ、メモリ部２３ｂ等を含んでいる。メモリ部２３ｂは、ＭＰＵ２３ａが実行する制御プログラム等を格納したＲＯＭと、ＭＰＵ２３ａにプログラム実行に必要なワークエリアを提供するためのＲＡＭとを含んでいる。
【００３４】
マイクロコンピュータブロック２３の実行結果のうち、ユーザに通知すべき内容は、ディスク記録再生装置１１に内蔵の前記表示部１６に表示されるか、または、外部接続されたモニタディスプレイ３０にＯＳＤ（On Screen Display）表示される。また、マイクロコンピュータブロック２３は、この装置を操作するための操作信号を与える、前記操作部１７を含むキー入力部３１を有する。
【００３５】
なお、上記マイクロコンピュータブロック２３が、ディスクドライブ部１４、ＨＤＤ部１９、Ｄ−ＰＲＯ部２０、エンコーダ部２１及びデコーダ部２２等を制御するタイミングは、ＳＴＣ（System Time Clock）３２からの時間データに基づいて規定することができる。記録や再生の動作は、通常、ＳＴＣ３２からのタイムクロックに同期して実行されるが、それ以外の処理はＳＴＣ３２からのタイムクロックとは独立したタイミングで実行されてもよい。
【００３６】
デコーダ部２２は、パック構造を持つＤＶＤフォーマットの信号から各パックを分離して取り出すセパレータと、パック分離及びその他の信号処理実行時に使用するメモリと、セパレータで分離された映像データ（映像パックの内容）をデコードするVデコーダと、セパレータで分離された副映像データ（副映像パックの内容）をデコードするＳＰ（Sub Picture）デコーダと、セパレータで分離された音声データ（音声パックの内容）をデコードするＡ（Audio）デコーダとを有する。また、デコードされた映像にデコードされた副映像を適宜合成し、映像に、メニュー、ハイライトボタン、字幕及びその他の副映像を重ねて出力するビデオプロセッサを備えている。
【００３７】
デコーダ部２２の出力映像信号は、Ｖミクシング部２８に入力される。Ｖミクシング部２８では、テキストデータの合成が行なわれる。また、このＶミクシング部２８には、ＴＶチューナ部２７またはＡ／Ｖ入力部２６からの信号を直接取り込むラインも接続されている。
【００３８】
Ｖミクシング部２８には、バッファとして用いるフレームメモリ部３３が接続されている。Ｖミクシング部２８の出力がアナログ出力の場合は、Ｉ／Ｆ（Interface）３４を介して外部に出力され、デジタル出力の場合は、Ｄ／Ａ（Digital／Analog）変換器３５を介して外部のモニタディスプレイ３０に出力される。
【００３９】
デコーダ部２２の出力オーディオ信号は、セレクタ２９を介してＤ／Ａ変換器３６でアナログ変換され、外部接続されたスピーカ３７に出力される。セレクタ２９は、マイクロコンピュータブロック２３からのセレクト信号により制御される。これにより、セレクタ２９は、Ａ／Ｖ入力部２６またはＴＶチューナ部２７からのデジタル信号を直接モニタするとき、エンコーダ部２１をスルーした信号を直接選択することが可能となる。
【００４０】
図３は、ＤＶＤ−ＶＲ規格で記録されたタイトルをＤＶＤ−Ｖ規格のタイトルに変換する動作を示している。ＤＶＤ−ＶＲ規格では、通常、１つのプログラムが１つのタイトルとして扱われ、１つのタイトルは１つ以上のセルから構成されている。
【００４１】
各セルは、対応するＶＯＢ（Video Object）のＶＯＢ番号と、その再生開始位置及び再生終了位置を示す情報とを持ち、さらに、チャプタ分割位置に相当するエントリィポイント位置を示す情報を持っている。このようなセル情報で指定されるＶＯＢの再生開始位置、再生終了位置及びエントリィポイント位置は、フレーム単位での指定が可能である。
【００４２】
また、ＤＶＤ−Ｖ規格では、通常、１つのＰＧＣ（Program Chain）が１つのタイトルとして扱われ、１つのＰＧＣは１つ以上のプログラムから構成されている。通常、１つのプログラムが１つのチャプタとして扱われ、１つのプログラムは１つ以上のセルから構成されている。
【００４３】
さらに、プログラム内の各セルは、ＶＯＢ内のセルと１対１に対応しており、ＶＯＢ内のセルは１つ以上のＶＯＢＵ（Video Object Unit）から構成されている。これにより、ＤＶＤ−Ｖ規格では、タイトル及びチャプタ共に、その再生開始位置及び再生終了位置がＶＯＢＵ単位で指定されることになる。
【００４４】
上記のように、ＤＶＤ−ＶＲ規格では、フレーム単位で再生範囲及びチャプタ分割位置を指定することができるのに対し、ＤＶＤ−Ｖ規格では、ＶＯＢＵ単位での指定となる。このため、ＤＶＤ−ＶＲ規格で記録されたタイトルをＤＶＤ−Ｖ規格のタイトルに変換する場合、ＤＶＤ−ＶＲ規格で記録されたタイトルの再生開始位置、再生終了位置及びチャプタ分割位置等がＶＯＢＵの境界に存在していなければ、それらの位置を所定の規則に基づいてＶＯＢＵ境界に移動させる必要がある。この場合、通常は、再生範囲が狭くなることのないように、セルの再生開始位置は前方に移動させ、セルの再生終了位置は後方に移動させることになる。
【００４５】
ＤＶＤ−ＶＲ規格からＤＶＤ−Ｖ規格に変換されたタイトルを、再度ＤＶＤ−ＶＲ規格に変換する場合には、ＤＶＤ−Ｖ規格で記録されている管理情報に基づいて変換処理が行なわれる。ところが、この管理情報からでは、ＤＶＤ−ＶＲ規格からＤＶＤ−Ｖ規格に変換する際にＶＯＢＵ境界に移動された再生開始位置、再生終了位置及びチャプタ分割位置等を、元の位置に戻すことはできないため、ＤＶＤ−ＶＲ規格に変換後のタイトルを、元のタイトルと全く同じ状態に復元することは不可能となる。
【００４６】
ここで説明する実施の形態では、ＤＶＤ−ＶＲ規格のタイトルをＤＶＤ−Ｖ規格のタイトルに変換して記録する際に、ＶＯＢＵ境界に移動された再生開始位置の移動量情報ｄ１と、再生終了位置の移動量情報ｄ３と、チャプタ分割位置の移動量情報ｄ１，ｄ２とを記録するようにしている。
【００４７】
例えば、ＤＶＤ−ＶＲ規格で光ディスク１８に記録されているタイトルを、ＤＶＤ−Ｖ規格に変換してハードディスク１９ａに記録する場合には、上記の移動量情報ｄ１〜ｄ３がハードディスク１９ａの所定の記録領域に記録される。
【００４８】
そして、このＤＶＤ−Ｖ規格に変換されたタイトルを、再度ＤＶＤ−ＶＲ規格に変換する場合には、記録されている移動量情報を用いて、ＤＶＤ−ＶＲ規格に変換後のタイトルを元のタイトルと全く同じ状態に復元するようにしている。
【００４９】
図４（ａ）及び（ｂ）は、それぞれ、各プログラム（＝チャプタ）毎及び各ＶＯＢ毎における、移動量情報の記録テーブルを示している。いずれも、再生開始位置、再生終了位置の元タイトルからの移動量をフレーム単位で示し、移動方向を＋，−で示している。
【００５０】
すなわち、ＤＶＤ規格では、通常、１ＶＯＢＵは１５フレーム固定であり、移動範囲はＶＯＢＵの先頭または終端までであることから、移動量は０フレーム〜１４フレームの範囲となる。また、移動方向として前方と後方との２種類が考えられるため、移動方向の情報を正負で表わしている。図４では、ＤＶＤ−ＶＲ規格からＤＶＤ−Ｖ規格への変換時に前方に移動した場合を正、後方に移動した場合を負として表わしている。
【００５１】
なお、上記した各種の移動量情報ｄ１〜ｄ３は、ＤＶＤ−ＶＲ規格のタイトルをＤＶＤ−Ｖ規格のタイトルに変換する際に、マイクロコンピュータブロック２３が、タイトルの再生開始位置、再生終了位置、チャプタ分割位置に対する移動量及び移動方向をそれぞれ算出しているため、容易に取得することが可能である。
【００５２】
これらの移動量情報のディスクへの記録位置としては、ＤＶＤ−Ｖ規格で情報を記録する場合に、ファイルシステムの記録されていない未ファイナライズ領域への追記を実現するために、一般的にタイトル毎に記録される独自管理情報の記録領域が考えられる。
【００５３】
図５は、上記のようにしてＤＶＤ−ＶＲ規格からＤＶＤ−Ｖ規格に変換されたタイトルを、再度ＤＶＤ−ＶＲ規格のタイトルに変換する動作を示している。この変換処理は、まず、変換開始時に、ＤＶＤ−Ｖ規格のタイトルとともに記録されている移動量情報を取得する。
【００５４】
そして、ＤＶＤ−Ｖ規格のタイトルを現状と同じ手法にてＤＶＤ−ＶＲ規格に変換し、その後、変換されたセル情報の再生開始位置、再生終了位置、エントリィポイント位置のうち、修正の必要な位置を移動量情報に基づいて移動することにより行なわれる。なお、移動量情報がゼロの場合、または、移動量情報が記録されていない場合には、位置の修正は行なわれないようになされている。
【００５５】
このようにして、ＤＶＤ−Ｖ規格からＤＶＤ−ＶＲ規格に変換されたタイトルは、例えば光ディスク１８に記録される。
【００５６】
図６及び図７は、ＤＶＤ−ＶＲ規格からＤＶＤ−Ｖ規格に変換したタイトルを、ＤＶＤ−ＶＲ規格に再変換する際に、その再変換に必要な各種の情報を取得する動作を示している。
【００５７】
まず、開始（ステップＳ１）されると、前記マイクロコンピュータブロック２３は、ステップＳ２で、変換元がタイトル指定かチャプタ指定かを判別する。変換元がタイトル指定であると判断された場合（ＹＥＳ）、タイトル全体が変換対象となるため、マイクロコンピュータブロック２３は、ステップＳ３で、タイトル内の全チャプタに対してその先頭位置の移動量情報と終端位置の移動量情報とを取得する。
【００５８】
その後、マイクロコンピュータブロック２３は、ステップＳ４で、タイトル内の全ＶＯＢについてもその先頭位置の移動量情報と終端位置の移動量情報とを取得する。そして、マイクロコンピュータブロック２３は、ステップＳ５で、ＤＶＤ−Ｖ規格からＤＶＤ−ＶＲ規格に再変換するのに必要なその他の各種情報を、主にＤＶＤ−Ｖ規格の管理情報から取得して、処理を終了（ステップＳ６）する。
【００５９】
また、上記ステップＳ２において、変換元がチャプタ指定、つまり、変換元としてタイトル内の１つのチャプタが指定されていると判断された場合（ＮＯ）、マイクロコンピュータブロック２３は、ステップＳ７で、変換対象となるチャプタについてその先頭位置の移動量情報と終端位置の移動量情報とを取得する。
【００６０】
次に、マイクロコンピュータブロック２３は、ステップＳ８で、変換対象となるチャプタが属する全ＶＯＢについても、その先頭位置の移動量情報と終端位置の移動量情報とを取得する。その後、マイクロコンピュータブロック２３は、ステップＳ９で、取得したチャプタ移動量情報のうち、チャプタ終端位置における移動量がゼロより大きいか否かを判別する。
【００６１】
そして、チャプタ終端位置の移動量がゼロより大きいと判断された場合（ＹＥＳ）、再変換時にチャプタ終端位置が後方に移動されることになるため、マイクロコンピュータブロック２３は、ステップＳ１０で、変換対象チャプタの次のチャプタの先頭１ＶＯＢＵも変換対象として加える。
【００６２】
このため、マイクロコンピュータブロック２３は、ステップＳ１１で、変換対象チャプタの後ろに１ＶＯＢＵのセルが追加されたものとみなし、このセルまでを含めて変換対象として、ＤＶＤ−Ｖ規格からＤＶＤ−ＶＲ規格に再変換するのに必要な各種情報を、主にＤＶＤ−Ｖ規格の管理情報から取得する。
【００６３】
その後、マイクロコンピュータブロック２３は、ステップＳ１２で、変換対象に加えた次チャプタの先頭１ＶＯＢＵが、変換指定されたチャプタ終端位置の属するＶＯＢと同一ＶＯＢに属するか否かを判別する。
【００６４】
そして、変換対象に加えた次チャプタの先頭１ＶＯＢＵが、変換指定されたチャプタ終端位置の属するＶＯＢと異なるＶＯＢに属すると判断された場合（ＮＯ）、マイクロコンピュータブロック２３は、ステップＳ１３で、変換対象に加えたＶＯＢＵの属するＶＯＢについて、その先頭位置の移動量情報と終端位置の移動量情報とを追加で取得する。
【００６５】
次に、取得したＶＯＢ移動量情報の修正動作が行なわれる。すなわち、ステップＳ１３の後、または、上記ステップＳ１２において、変換対象に加えた次チャプタの先頭１ＶＯＢＵが、変換指定されたチャプタ終端位置の属するＶＯＢと同一ＶＯＢに属すると判断された場合（ＹＥＳ）、マイクロコンピュータブロック２３は、ステップＳ１４の処理に移行される。
【００６６】
ステップＳ１４において、マイクロコンピュータブロック２３は、ステップＳ８またはＳ１３で取得したＶＯＢ移動量情報のうち最終ＶＯＢの終端位置の移動量に、チャプタ終端位置の移動量から１ＶＯＢＵのフレーム数を引いた値（＜０）を代入する。その後、マイクロコンピュータブロック２３は、ステップＳ１５で、ステップＳ８で取得したＶＯＢ移動量情報のうち、先頭ＶＯＢの先頭位置の移動量に、チャプタ先頭位置の移動量を代入して、処理を終了（ステップＳ６）する。
【００６７】
また、上記ステップＳ９において、チャプタ終端位置の移動量がゼロ以下であると判断された場合（ＮＯ）、再変換時にチャプタ終端位置が移動されないか前方に移動されることになるため、チャプタ範囲が別チャプタに移動することはなくなる。このため、マイクロコンピュータブロック２３は、ステップＳ１６で、指定されたチャプタのみを変換対象として、ＤＶＤ−Ｖ規格からＤＶＤ−ＶＲ規格に再変換するのに必要な各種情報を、主にＤＶＤ−Ｖ規格の管理情報から取得する。
【００６８】
その後、チャプタ終端位置の移動量がゼロより大きい場合と同様に、取得したＶＯＢ移動量情報の修正動作が行なわれる。すなわち、マイクロコンピュータブロック２３は、ステップＳ１７で、最終ＶＯＢ終端位置の移動量にチャプタ終端位置の移動量を代入する。また、マイクロコンピュータブロック２３は、ステップＳ１５で、先頭ＶＯＢの先頭位置の移動量にチャプタ先頭位置の移動量を代入して、処理を終了（ステップＳ６）する。
【００６９】
図８は、ＤＶＤ−ＶＲ規格からＤＶＤ−Ｖ規格に変換したタイトルを、ＤＶＤ−ＶＲ規格に再変換する動作を示している。まず、開始（ステップＳ１８）されると、マイクロコンピュータブロック２３は、ステップＳ１９で、変換対象となるＤＶＤ−Ｖ規格のタイトルの管理情報及びディスクに記録された移動量情報等、再変換に必要な各種の情報を取得する。
【００７０】
次に、マイクロコンピュータブロック２３は、ステップＳ２０で、取得した管理情報に基づいて、ＶＯＢ単位でＤＶＤ−ＶＲ規格への変換処理を行ない、ステップＳ２１で、変換したＶＯＢに対するセル情報を現状と同様の処理により生成する。
【００７１】
この生成されたセル情報には、ステップＳ１９で取得した移動量情報が反映されていないので、移動量情報に基づいて各位置情報の修正が行なわれる。すなわち、マイクロコンピュータブロック２３は、ステップＳ２２で、ＶＯＢ先頭位置の移動量がゼロでなければセル情報内のＣ＿Ｖ＿Ｓ＿ＰＴＭ（Video Start PTM of this Cell）を必要フレーム数移動させる。
【００７２】
また、マイクロコンピュータブロック２３は、ステップＳ２３で、ＶＯＢ終端位置の移動量がゼロでなければセル情報内のＣ＿Ｖ＿Ｅ＿ＰＴＭ（Video End PTM of this Cell）を必要フレーム数移動させる。さらに、マイクロコンピュータブロック２３は、ステップＳ２４で、チャプタ先頭位置の移動量がゼロでなければセル内エントリィポイント情報のＥＰ＿ＰＴＭ（PTM of Entry Point）を必要フレーム数移動させる。
【００７３】
その後、マイクロコンピュータブロック２３は、ステップＳ２５で、変換対象となっている全ＶＯＢについて、ＤＶＤ−Ｖ規格からＤＶＤ−ＶＲ規格への再変換処理と位置の修正処理とが終了したか否かを判別し、終了していないと判断された場合（ＮＯ）、ステップＳ２０の処理に移行される。
【００７４】
また、ステップＳ２５において、終了したと判断された場合（ＹＥＳ）、マイクロコンピュータブロック２３は、ステップＳ２６で、ＤＶＤ−ＶＲ規格のプログラム情報の生成処理を行なって、処理を終了（ステップＳ２７）する。
【００７５】
上記した実施の形態によれば、ＤＶＤ−ＶＲ規格で記録されたタイトルをＤＶＤ−Ｖ規格に変換する際に生じる再生範囲、チャプタ分割点等の移動量をディスクに記録し、再度ＤＶＤ−ＶＲ規格に変換する際には、ディスクに記録された移動量情報を利用することにより、元のタイトルと同じ再生範囲、チャプタ分割点を持つタイトルを復元することができるようになる。
【００７６】
また、上記した実施の形態において、ＤＶＤ−ＶＲ規格からＤＶＤ−Ｖ規格に変換したタイトルを、ＤＶＤ−ＶＲ規格に再変換する際、移動量情報を用いて元のタイトルと同じ再生範囲、チャプタ分割点を持つタイトルを復元する機能を、起動させるか否かを選択可能とすることもできる。この選択は、例えば、ディスク記録再生装置１１の前面パネル１３に設けられた操作部１７に選択スイッチを設置することで実現できる。
【００７７】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。
【図面の簡単な説明】
【００７８】
【図１】この発明の実施の形態を示すもので、ディスク記録再生装置の外観を説明するために示す斜視図。
【図２】同実施の形態におけるディスク記録再生装置の信号処理系を説明するために示すブロック構成図。
【図３】同実施の形態におけるＤＶＤ−ＶＲ規格のタイトルをＤＶＤ−Ｖ規格に変換する動作を説明するために示す図。
【図４】同実施の形態における各プログラム毎及び各ＶＯＢ毎の移動量情報の記録テーブルを説明するために示す図。
【図５】同実施の形態におけるＤＶＤ−Ｖ規格のタイトルをＤＶＤ−ＶＲ規格に変換する動作を説明するために示す図。
【図６】同実施の形態におけるＤＶＤ−Ｖ規格のタイトルをＤＶＤ−ＶＲ規格に変換する際に必要な各種情報を取得する動作の一部を説明するために示すフローチャート。
【図７】同実施の形態におけるＤＶＤ−Ｖ規格のタイトルをＤＶＤ−ＶＲ規格に変換する際に必要な各種情報を取得する動作の残部を説明するために示すフローチャート。
【図８】同実施の形態における同実施の形態におけるＤＶＤ−Ｖ規格のタイトルをＤＶＤ−ＶＲ規格に変換する動作を説明するために示すフローチャート。
【符号の説明】
【００７９】
１１…ディスク記録再生装置、１２…キャビネット、１３…前面パネル、１４…ディスクドライブ部、１５…電源キー、１６…表示部、１７…操作部、１８…光ディスク、１９…ＨＤＤ部、２０…Ｄ−ＰＲＯ部、２１…エンコーダ部、２２…デコーダ部、２３…マイクロコンピュータブロック、２４…バッファメモリ、２５…フォーマッタ、２６…ＡＶ入力部、２７…ＴＶチューナ部、２８…Ｖミクシング部、２９…セレクタ、３０…モニタディスプレイ、３１…キー入力部、３２…ＳＴＣ、３３…フレームメモリ部、３４…Ｉ／Ｆ、３５，３６…Ｄ／Ａ変換器、３７…スピーカ。
【図１】
2005303620.tif 000003
【図２】
2005303620.tif 000004
【図３】
2005303620.tif 000005
【図４】
2005303620.tif 000006
【図５】
2005303620.tif 000007
【図６】
2005303620.tif 000008
【図７】
2005303620.tif 000009
【図８】
2005303620.tif 000010